(57)【要約】  【課題】  ノック部材に形成される空間部はノック部材の外側に形成されており、且つ、軸筒にノック部材をセットした際も空間部は軸筒の外側に露出している。このため、使用時に製品を落としたり、またノック部材を他の物にぶつけたりすると、ノック部材の一部が変形してしまい、その結果、空気の流通が可能な空間を塞いでしまったり、空間を狭くしたりする恐れがあった。このような状態のノック部材を、誤って飲み込んでしまった際には充分な空気の流通を確保することができなくなってしまう危険性があった。  【解決手段】  径方向に移動可能な突起を有するノック部材において、そのノック部材に先端から後端にかけて貫通孔を設けたノック部材。【選択図】  図３
2005313512.tif 000002
【特許請求の範囲】
【請求項１】
径方向に移動可能な突起を有するノック部材において、そのノック部材に先端から後端にかけて貫通孔を設けたことを特徴とするノック部材。
【請求項２】
径方向に移動可能な突起を有するノック部材において、そのノック部材に先端から後端にかけて貫通孔を設けると共に、その貫通孔の断面積を前記突起の端面の面積より大きくしたことを特徴とする請求項１記載のノック部材。
【請求項３】
前記貫通孔を複数設けると共に、その貫通孔の少なくとも１つを前記突起の端面の外形よりも外れた位置に配置したこと特徴とする請求項１、或いは、請求項２に記載のノック部材。
【請求項４】
前記ノック部材にクリップ部を設けたことを特徴とする請求項１〜請求項３の何れかに記載のノック部材。
【発明の詳細な説明】
【技術分野】
【０００１】
本発明は、径方向に移動可能な突起を有するノック部材に関するものであり、例えば、ボールペンリフィルやシャープペンシルユニットが出没可能に配置された筆記具などに使用されるノック部材に関する。
【背景技術】
【０００２】
１例として、ノック部材にクリップ部を設け、且つ、ノック部材本体とクリップ部の間に空気の流通が可能な空間を設けたノック部材や、ノック部材本体の側面に溝を形成すると共に、ノック部材の上面に突出した軸筒との係止部を設け、前記溝と係止部との間に空気の流通が可能な空間を設けたノック部材がある。
【０００３】
【特許文献１】実用新案登録第２５４２０３７号
【特許文献２】実公平５−３８７号
【発明の開示】
【発明が解決しようとする課題】
【０００４】
前記従来技術におけるノック部材は、誤ってノック部材を飲み込んだ際に空気の流通が可能な空間を設けている。しかしながら、前記従来技術のノック部材に形成される空間部はノック部材の外側に形成されており、且つ、軸筒にノック部材をセットした際も空間部は軸筒の外側に露出している。このため、使用時に製品を落としたり、またノック部材を他の物にぶつけたりすると、ノック部材の一部が変形してしまい、その結果、空気の流通が可能な空間を塞いでしまったり、空間を狭くしたりする恐れがあった。このような状態のノック部材を、誤って飲み込んでしまった際には充分な空気の流通を確保することができなくなってしまう危険性があった。
【課題を解決するための手段】
【０００５】
本発明は、径方向に移動可能な突起を有するノック部材において、そのノック部材に先端から後端にかけて貫通孔を設けたことを要旨としている。
【発明の効果】
【０００６】
本発明は、径方向に移動可能な突起を有するノック部材において、そのノック部材に先端から後端にかけて貫通孔を設けたので、使用者が万が一、筆記具を落としたりして傷つけたときにも、空気の流通を充分に確保することができる。
又、請求項２においては、万が一ノック部材の突起が折れ曲がり、その突起がノック部材の貫通孔に位置してしまっても、貫通孔の断面積が大きくなっている為、空気の流通を充分に確保することができるものとなっている。
【発明を実施するための最良の形態】
【０００７】
図１〜図７に示し説明する。軸筒１の内部前方には弾発部材４がセットされており、この弾発部材４を介してリフィル３がセットされている。そのリフィル３は、軸筒１の先端開口部１ｃよりペン先部３ａが出没可能に配置されている。又、そのリフィル３の後方には、後部が前記軸筒１の後端より突出しているノック部材２がセットされている。そして、そのノック部材２の中間近傍には、コ字形の切り欠き部２ｇを形成することによって構成され、また、径方向に押圧移動可能な突起２ａが形成されている。その突起２ａは、前記軸筒１に形成された係止窓部１ａから軸筒１の外周面より突出した状態で、且つ、ペン先出没方向に移動可能なように係合するボタン部２ｆと、軸筒１に形成された第２の係止窓部２ｂと係合する端部突起２ｂが形成されている。
更に、前記ノック部材２の中間近傍には切り欠き部２ｈが設けられており、その切り欠き部２ｈの前方、並びに後方には、空気の流通が可能な貫通孔２ｃ及び２ｄが設けてある。即ち、これら切り欠き部２ｈと貫通孔２ｃ、２ｄによって、ノック部材２の長手方向における前端から後端に架けて空気の流通孔が形成されているのである。又、前記貫通孔２ｃ、２ｄの断面積は、前記突起２の端部突起２ｂの端面の面積より大きく形成されている。即ち、万が一、突起２が折損してしまった場合における、その折損した突起２による貫通孔２ｃ、２ｄの閉塞作用を防止しているのである。尚、この貫通孔２ｃの内側にはリフィル３の後端が当接する内方突起２ｅが形成されているが、空気の流通が可能な形状となっている。又、突起２ａは、コ字形の切り欠き部２ｇを形成することによって構成されており、それ故に、その突起２ａに形成された端部突起２ｂ上部と貫通孔２ｄの下端部には隙間２ｉが形成されているが、その隙間２ｉの幅は単に形成されているのではなく、突起２ａが径方向に移動した際に、前記端部突起２ｂが貫通孔２ｄの下端部と接触しない幅を有している。即ち、突起２ａが径方向に倒れ込んでも隙間が形成され、空気の流通が可能なものとなっている。
【０００８】
前記軸筒１の把持する部分には、エラストマー樹脂により成型されたグリップ５が取り付けられているが、その他の合成樹脂製のグリップでも良く、又、塗装などであっても良く、更には、グリップを有さず軸筒１自体を把持部とする構造であっても良い。又、軸筒１の外側後方には衣類のポケットなどに固定するためのクリップ６が設けてあるが、このクリップ６は、図５（実施例２）に示した通りノック部材２に形成しても良い。ノック部材２とクリップ部との間にも空気の流通路が確保され、空気の流通の向上が期待される。
尚、本実施例では、リフィル３のペン先部3ａをボールペンにて説明しているが、これに限らず、繊維集束体から形成したペン先や合成樹脂から形成したペン先、シャープペンシル、消しゴム、或いは修正液を塗布する為のペン先でも良い。
また、前記貫通孔２ｃ及び２ｄは図６、図７（実施例３）に示す通り複数の貫通孔であっても良いし、その貫通孔の断面形状も円形に限らず、多角形、扇形或いは星形など適宜で良い。本例について詳述する。４つの貫通孔２ｄが形成されているが、その４つの貫通孔２ｄは、四角形の頂点の位置に形成されている。又、それら４つの貫通孔２ｄは、突起２ａの端部突起２ｂの端面の外形よりも外れた位置に形成されている。具体的には、２つの貫通孔２ｄが外れた位置に形成されている（図７（ａ）参照）。そして、その外れた位置に形成された貫通孔２ｄによって空気の流通がなされるようになっているのである。
【０００９】
次に、動作について説明する。リフィル３が軸筒１に収容されている状態では、リフィル３は、軸筒１の前方に配された弾発部材４によって軸筒１の後方へ付勢されている。この時、軸筒１に設けられた係止窓部１ａより、ノック部材２に設けられた径方向に移動可能な突起２ａのボタン部２ｆの端面が当接し、また、軸筒１に設けられた第２の係止窓部１ｂに突起２ａの端部突起２ｂが係止することにより、リフィル３の軸筒１の後方からの飛び出しを防止すると共に、リフィル３のペン先３ａを軸筒１内に収容している。
【００１０】
次に、軸筒１の後方より突出しているノック部材２の後部を、弾発部材４に抗するように押すと、ノック部材２の径方向に移動可能な突起２ａが内径方向へ移動し、軸筒１に設けられた第２の係止窓部１ｂに係止していた端部突起２ｂが第２の係止窓部１ｂより外れ軸筒１の内壁に沿って移動する。このノック部材２の移動と共にリフィル３が軸筒１の先端方向へ移動する。そして、端部突起２ｂが軸筒１の係止窓部１ａに達すると、端部突起２ｂは外径方向へ移動し、係止窓部１ａの後端面と当接する。この時、ノック部材２のボタン部２ｆは、係止窓部１ａに沿って移動し、ボタン部２ｆの前端面が係止窓部１ａの前端部に当接することにより、ノック部材２とリフィル３の前方への移動が抑制され、筆記可能な状態となる。
【００１１】
次に、前記リフィル３が筆記可能な状態から、ノック部材２の突起２ａのボタン部２ｆを内径方向へ押すと、突起２ａの端部突起２ｂが軸筒１の係止窓部１ａから外れ、弾発部材４の弾性復帰力によってノック部材２とリフィル３は後方へ付勢される。この時、ノック部材２の突起２ａのボタン部２ｆは係止窓部１ａに沿って後方へ移動し、ボタン部２ｆの後端面と係止窓部１ａの後端面が当接する。これによりノック部材２とリフィル３の後方への移動は抑制される。また、この時、係止窓部１ａに当接していたノック部材２の端部突起２ｂも係止窓部１ａから外れ軸筒１の内壁に沿って後方へと移動し、第２の係止窓部1ｂに達する。この際、端部突起２ｂは第２の係止窓部１ｂの後端面と当接しリフィル３は収容状態となる。
【図面の簡単な説明】
【００１２】
【図１】本発明の１例を示す縦断面図（リフィル収容状態）
【図２】図１のリフィル筆記状態。
【図３】ノック部材２の断面図。
【図４】（ａ）図3のＡ−Ａ断面矢視図。  （ｂ）動作説明図。
【図５】実施例２のノック部材の断面図。
【図６】実施例３のノック部材の断面図。
【図７】（ａ）図６のＢ−Ｂ断面矢視図。  （ｂ）動作説明図。
【符号の説明】
【００１３】
１      軸筒
１ａ    係止窓部
１ｂ    第２の係止窓部
１ｃ    先端開口部
２      ノック部材
２ａ    突起
２ｂ    端部突起
２ｃ    貫通孔
２ｄ    貫通孔
２ｅ    内方突起
２ｆ    ボタン部
２ｇ    コ字形の切り欠き部
２ｈ    切り欠き部
２ｉ    隙間
３      リフィル
３ａ    ペン先
４      弾発部材
５      グリップ
６      クリップ
【図１】
2005313512.tif 000003
【図２】
2005313512.tif 000004
【図３】
2005313512.tif 000005
【図４】
2005313512.tif 000006
【図５】
2005313512.tif 000007
【図６】
2005313512.tif 000008
【図７】
2005313512.tif 000009